(57)【要約】      （修正有）【課題】必要な弾性機能を確保しつつ、デザインの自由度が向上可能な眼鏡フレームを提供する。【解決手段】レンズを支持するフロント部１０と、フロント部１０の左右方向端部に設けられた鎧部１３に蝶番３０を介して回動可能に連結されたテンプル２０と、蝶番３０の鎧部側の鎧部側蝶片３１に設けられた弾性変形片３１２と、鎧部１３に設けられ、弾性変形片３１２を収容し、かつ、弾性変形片３１２の弾性変形を許容する空間を有する収容部１３１と、鎧部側蝶片３１に設けられ、収容部１３１の前方に配置され、かつ、弾性変形片３１２を覆い隠すカバー部３１３と、を備え、カバー部３１３は、弾性変形片３１２の変形時に、収容部１３１に進入可能に形成されている眼鏡フレーム。【選択図】図１Ａ
2020148873.tif 000002
【特許請求の範囲】
【請求項１】
レンズを支持するフロント部と、
前記フロント部の左右方向端部に設けられた鎧部に蝶番を介して回動可能に連結されたテンプルと、
前記蝶番の前記鎧部側の鎧部側蝶片に設けられた弾性変形部と、
前記鎧部に設けられ、前記弾性変形部を収容するとともに、前記弾性変形部の弾性変形を許容する収容部と、
前記鎧部側蝶片に設けられ、前記弾性変形部を覆い隠すカバー部と、
を備える眼鏡フレーム。
【請求項２】
請求項１に記載の眼鏡フレームにおいて、
前記カバー部は、前記弾性変形部の変形時に、前記収容部に進入可能に形成されている眼鏡フレーム。
【請求項３】
請求項１または請求項２に記載の眼鏡フレームにおいて、
前記弾性変形部は、前記鎧部側蝶片の内側面から内側へ突出されて湾曲した形状の湾曲部を備える眼鏡フレーム。
【請求項４】
請求項１〜請求項３のいずれか1項に記載の眼鏡フレームにおいて、
前記弾性変形部は、後方に向けて突出したボス部を備え、前記ボス部を、前記収容部に形成された嵌合溝に嵌め合せた状態で前記収容部に固定されている眼鏡フレーム。
【請求項５】
請求項１〜請求項４のいずれか1項に記載の眼鏡フレームにおいて、
前記フロント部のリムが樹脂製である眼鏡フレーム。
【請求項６】
請求項５に記載の眼鏡フレームにおいて、
前記蝶番および前記テンプルが金属製である眼鏡フレーム。
【発明の詳細な説明】
【技術分野】
【０００１】
本開示は、眼鏡フレームに関するものである。
【背景技術】
【０００２】
従来、眼鏡フレームとして、レンズを支持するフロント部と、フロント部の両端部に蝶番を介して連結されたテンプルと、を備えたものがよく知られている。また、眼鏡フレームでは、眼鏡の装着のためにテンプルを広げた際に、フロント部が変形するとレンズに無理な応力が作用するおそれがあるため、フロント部を強固に形成し、弾性変形する部分をテンプル側に設けることが知られている（例えば、特許文献１参照）。
【０００３】
この従来技術では、眼鏡の装着時などにテンプルの左右方向の間隔を広げることを可能とするために弾性変形を行う機能を有する部位である弾性変形部が、テンプルを支持する鎧部に設けられている。
【先行技術文献】
【特許文献】
【０００４】
【特許文献１】特開２０１６−９０９５３号公報
【発明の概要】
【発明が解決しようとする課題】
【０００５】
しかしながら、上述の従来技術のように、弾性変形を行う機能を有する部位が外観に現れていると、テンプルやフロント部のデザインも、その機能部位である弾性変形部と一体性のある外観にする必要があり、その分、デザインの自由度に制約を受ける。また、弾性変形部が外観に現れることで、弾性変形部が外観に現れないものと比較して、複雑な形状の外観となる。
【０００６】
そこで、本開示は、必要な弾性機能を確保しつつ、シンプルな外観で、しかも、デザインの自由度を向上可能な眼鏡フレームを提供することを目的としている。
【課題を解決するための手段】
【０００７】
本開示の眼鏡フレームは、レンズを支持するフロント部と、前記フロント部の左右方向端部に設けられた鎧部に蝶番を介して回動可能に連結されたテンプルと、前記蝶番の前記鎧部側の鎧部側蝶片に設けられた弾性変形部と、前記鎧部に設けられ、前記弾性変形部を収容するとともに、前記弾性変形部の弾性変形を許容する収容部と、前記鎧部側蝶片に設けられ、前記弾性変形部を覆い隠すカバー部と、を備える眼鏡フレームとした。
【発明の効果】
【０００８】
本開示の眼鏡フレームでは、弾性変形部により必要な弾性を確保可能としつつ、この機能性を有した部位である弾性変形部が収容部に収容されて外観に表れないため、シンプルな外観を得ることができる。また、弾性変形部が外観に現れないため、テンプルなどの他の部位のデザインを、弾性変形部と協調可能なデザインとする必要が無くなり、デザインの自由度が向上する。
【図面の簡単な説明】
【０００９】
【図１Ａ】実施の形態１の眼鏡フレームＡの平面図であり、テンプル２０を装着時の状態まで開いた状態を示す。
【図１Ｂ】実施の形態１の眼鏡フレームＡの平面図であり、テンプル２０を図１Ａの状態からさらに外側に広げた状態を示す。
【図２】実施の形態１の眼鏡フレームＡの正面図である。
【図３】実施の形態１の眼鏡フレームＡのフロント部１０の鎧部１３における分解断面図である。
【図４Ａ】実施の形態１の眼鏡フレームＡの鎧部１３の断面図であり、図１Ａと同様にテンプル２０を装着時の状態まで開いたときの状態を示す。
【図４Ｂ】実施の形態１の眼鏡フレームＡの鎧部１３の断面図であり、図１Ｂと同様にテンプル２０を図１Ａの状態からさらに外側に広げたときの状態を示す。
【発明を実施するための形態】
【００１０】
以下、本発明の実施の形態について図面を参照して説明する。
（実施の形態１）
図１Ａ、図１Ｂは、実施の形態の眼鏡フレームＡを示す平面図であり、図１Ａは眼鏡フレームＡの装着時の状態を示し、図１Ｂは後述するテンプル２０を図１Ａの状態から外側に広げた状態を示す。
【００１１】
図１Ａに示すように、眼鏡フレームＡは、フロント部１０と、テンプル２０、２０と、蝶番３０、３０とを備える。
【００１２】
フロント部１０は、樹脂製のもので、レンズ１００、１００（図２参照）が嵌め込まれた左右一対のリム１１、１１と、左右方向中央でリム１１、１１を連結するブリッジ１２と、リム１１の左右方向の外側端部に設けられた鎧部１３と、を備える。なお、本明細書中の方向は、装着時の頭部の方向を基準とし、各図において矢印Ｌに沿う方向を左方向、矢印Ｒに沿う方向を右方向、矢印ＦＲに沿う方向を前方、矢印ＲＲに沿う方向を後方、矢印ＵＰに沿う方向を上方、矢印ＤＮに沿う方向を下方とする。
【００１３】
鎧部１３には、左右方向の両端部に、収容部１３１が形成され、この収容部１３１にテンプル２０の基端部が連結されている。以下に、この連結構造について説明する。
【００１４】
図３の断面図に示すように、収容部１３１は、鎧部１３の左右方向の端縁部と、前縁部から水平方向の内側に凹状に略Ｌ字状に形成され、前後方向の中間には、支持壁１３２が立設されている。
【００１５】
支持壁１３２は、図３に示すように、収容部１３１を前後に仕切って左右方向に延びる縦壁状に形成され、前面にボス部嵌合溝１３３が形成され、後面に座金嵌合溝１３４が形成されている。ボス部嵌合溝１３３は、後述する弾性変形部３１２のボス部３１２ｃを嵌め合わせ可能に、正面から見て円形の穴状に形成されている。座金嵌合溝１３４は、後述する平座金４１を嵌め合わせ可能な左右に延びる浅い溝状に形成されている。
【００１６】
次に、テンプル２０および蝶番３０について説明する。
テンプル２０は、金属製（例えば、純チタン製）であり、周知のように棒状に形成され、フロント部１０側の基端部が、蝶番３０を介して収容部１３１の支持壁１３２に連結されている。
【００１７】
蝶番３０は、テンプル２０が折り畳まれた状態と、図１Ａに示すように、左右に間隔を空けて開いた状態（装着時の状態）とに回転変位可能に、テンプル２０をフロント部１０に連結するもので、鎧部側蝶片３１と、テンプル側蝶片３２と、回転軸３３とを備える。
【００１８】
鎧部側蝶片３１は、詳細は後述するが、鎧部１３に取り付けられており、回転軸３３を挿し通す管状部が内側に突出して形成されている。テンプル側蝶片３２は、テンプル２０の棒状の本体２１と一体に形成され、回転軸３３を挿し通す管状部が内側に突出して形成されている。すなわち、回転軸３３は、鎧部側蝶片３１の管状部と、テンプル側蝶片３２の管状部とに挿通されて、両者の相対回転を可能に連結する。
【００１９】
鎧部側蝶片３１は、図３に示すように、蝶片本体３１１と、蝶片本体３１１から装着時の頭部の方向に分岐して突出された弾性変形片３１２と、蝶片本体３１１を延長し、図３において内側に湾曲されたカバー部３１３と、を備える。
【００２０】
また、蝶片本体３１１には、回転軸３３の近傍にフロント側ストッパ面３１１ｓが形成されている。このフロント側ストッパ面３１１ｓは、テンプル２０を、折り畳み状態から開いた際に、テンプル側蝶片３２に形成されたテンプル側ストッパ面３２ｓと突き当たり状態となってテンプル２０が図１Ａの位置からさらに外側に回転するのを規制する。
【００２１】
弾性変形片３１２は、弾性変形部として設けられたもので、蝶片本体３１１に結合された基部３１２ａと、基部３１２ａから湾曲状に延びる湾曲部３１２ｂと、湾曲部３１２ｂの先端に湾曲の内側方向に凸状に突出されたボス部３１２ｃとを備える。
【００２２】
湾曲部３１２ｂは、蝶片本体３１１との間に間隔を空けて配置され、かつ、湾曲の内周を装着時に頭部の方向となる内側に向けた湾曲状に形成されている。この湾曲部３１２ｂは、テンプル２０を、両ストッパ面３２ｓ、３１１ｓにより開き方向の回転を規制された状態からさらにテンプル２０、２０の間隔を広げた際に弾性変形を行う部位である。そして、湾曲部３１２ｂは、この湾曲部３１２ｂの材質、厚さ、長さ、湾曲度等に基づいて、あらかじめ設定された適切な弾性が与えられている。なお、弾性変形を行う部位を湾曲形状の湾曲部３１２ｂとしたことにより、弾性変形を行う部位を直線状に形成した場合よりも、左右方向や前後方向に必要な寸法を抑えることができる。
【００２３】
ボス部３１２ｃは、中心軸を前後方向に向けた円柱状に形成され、かつ、フロント部１０の収容部１３１に設けられた支持壁１３２のボス部嵌合溝１３３に嵌り合う直径寸法に形成され、かつ、後側の端面に開口を有するねじ穴（図示省略）が設けられている。このねじ穴は、蝶番３０を固定するねじ４０を締結可能に形成されている。
【００２４】
また、湾曲部３１２ｂおよびボス部３１２ｃの上下方向の寸法は、収容部１３１の上下方向寸法よりも僅かに小さな寸法に形成され、図４Ａにも示すように、収容部１３１に収容され、ボス部３１２ｃが収容部１３１に固定されている。
【００２５】
この弾性変形片３１２の固定構造を図３により説明すると、ボス部３１２ｃを収容部１３１の支持壁１３２の前面に形成されたボス部嵌合溝１３３に嵌合させる。そして、支持壁１３２の後面に形成された座金嵌合溝１３４に平座金４１を嵌め合わせた状態として、ねじ４０を平座金４１の後方から、平座金４１および支持壁１３２を貫通させて、ボス部３１２ｃのねじ穴に締結して固定されている（図４Ａ参照）。
【００２６】
カバー部３１３は、弾性変形片３１２の湾曲部３１２ｂに対し、装着時に前方となる方向に間隔を空けて配置され、かつ、湾曲部３１２ｂに沿うように湾曲されている。そして、カバー部３１３は、眼鏡フレームＡを前方から見た際に、弾性変形片３１２がカバー部３１３に隠れるように、その上下方向寸法が弾性変形片３１２の上下方向寸法以上の寸法に形成されている。さらに、カバー部３１３の上下方向寸法は、収容部１３１の上下方向寸法よりも、僅かに小さな寸法に形成されており、後述するようにカバー部３１３が収容部１３１に進入可能に形成されている。加えて、カバー部３１３を含む鎧部側蝶片３１は、テンプル側蝶片３２およびテンプル２０の本体２１と一体的な外観を成すように形成されている。
【００２７】
（実施の形態１の作用）
次に、実施の形態１の作用を説明する。
実施の形態１の眼鏡フレームＡを装着する際には、テンプル２０、２０を耳に掛けるが、この際、テンプル２０、２０同士の間隔を水平方向に一旦広げる場合がある。この場合、蝶番３０の湾曲部３１２ｂを弾性変形させることで、テンプル２０がボス部３１２ｃを支点として、左右方向に変位して相互の間隔を広げる。図１Ｂは、このようにテンプル２０、２０の間隔を左右方向に広げた状態を示しており、テンプル２０、２０の本体２１、２１を殆ど弾性変形することなく、相互の間隔を広げることができる。
【００２８】
このように、テンプル２０を外側に広げた際の湾曲部３１２ｂおよびカバー部３１３の動きについて、図４Ａ、図４Ｂに基づいて説明する。
【００２９】
図４Ａは、図１Ａに示すように、テンプル２０、２０を装着時の状態であって、両ストッパ面３１１ｓ、３２ｓにより回動規制されるまで開いたときの蝶番３０付近の構造を示す。この状態からさらにテンプル２０を外側に広げる際に弾性変形する湾曲部３１２ｂは、収容部１３１に収容されており、外観に殆ど現れない。また、収容部１３１の開口部分である収容部１３１の前方の開口および左右方向の開口は、図２に示すようにカバー部３１３に覆い隠されている。
【００３０】
したがって、弾性変形部である弾性変形片３１２が外観に現れる場合と比較して、すっきりしてシンプルな外観を得ることができる。また、テンプル２０のデザインも、弾性変形片３１２とマッチするようなデザインに制約されることがなく、高い設計自由度を得ることができる。
【００３１】
次に、図４Ｂは、湾曲部３１２ｂをテンプル２０、２０の間隔を外側に広げた場合（図１Ｂに示す状態）の蝶番３０を示す。テンプル２０、２０の間隔を外側に広げた場合、テンプル２０は、図４Ａの状態から、弾性変形片３１２の湾曲部３１２ｂがその湾曲の弧を広げるように弾性変形し、この湾曲部３１２ｂを中心に、時計回り方向に回転変位する。そして、テンプル２０が変位するのに伴い、カバー部３１３が鎧部１３と干渉することなく収容部１３１に進入する。なお、テンプル２０およびカバー部３１３の変位は、カバー部３１３の先端部が弾性変形片３１２のボス部３１２ｃに突き当たると、それ以上の変位が規制される。なお、図４Ａ、図４Ｂは、フロント部１０の左側端部を示しているが、フロント部１０の右側端部も、図４Ａ、図４Ｂと左右対称の動きとなる。
【００３２】
以上のように、湾曲部３１２ｂを覆い隠すカバー部３１３をフロント部１０の鎧部１３の外周縁に沿うように配置していても、フロント部１０と干渉することなく収容部１３１に進入するため、テンプル２０の回転変位を円滑に行うことができる。また、このカバー部３１３の移動量は僅か（例えば、１〜２ｍｍ程度）であり、かつ、カバー部３１３と収容部１３１の上下縁との寸法差が僅か（０．１〜０．２ｍｍ程度）であるため、カバー部３１３の移動が、装着者に違和感を与えることも無い。
【００３３】
以下に、実施の形態１の眼鏡フレームＡの効果を列挙する。
（１）実施の形態１の眼鏡フレームＡは、レンズ１００、１００を支持するフロント部１０と、フロント部１０の左右方向端部に設けられた鎧部１３に蝶番３０を介して回動可能に連結されたテンプル２０と、を備える。さらに、蝶番３０の鎧部側の鎧部側蝶片３１に設けられた弾性変形片３１２と、鎧部１３に設けられ、弾性変形片３１２を収容するとともに、弾性変形片３１２の弾性変形を許容する収容部１３１と、鎧部側蝶片３１に設けられ、弾性変形片３１２を覆い隠すカバー部３１３と、を備える。
【００３４】
したがって、弾性変形片３１２により必要な弾性を確保可能としつつ、この機能性を有した部位である弾性変形片３１２が収容部１３１に収容されて外観に表れないため、シンプルな新規な外観を得ることができる。また、弾性変形片３１２が外観に現れないため、テンプル２０や鎧部１３をデザインする際に、弾性変形片３１２等の弾性変形部とマッチするようなデザインに制約されることが無く、弾性変形部が外観に現れるものと比較して、デザインの自由度が向上する。
【００３５】
（２）実施の形態１の眼鏡フレームＡは、カバー部３１３が、弾性変形片３１２の変形時に、収容部１３１に進入可能に形成されている。
したがって、テンプル２０を広げた際に、カバー部３１３と鎧部１３とが干渉することによる不具合を防止できる。特に、本実施の形態１のように、鎧部１３を含むフロント部１０を樹脂製とし、カバー部３１３を金属製とした場合に、両者が干渉すると、鎧部１３が傷付くおそれがあるが、そのような不具合を防止できる。
【００３６】
（３）実施の形態１の眼鏡フレームＡは、弾性変形片３１２が、鎧部側蝶片３１の内側面から内側へ突出されて湾曲した形状の湾曲部３１２ｂを備える。
したがって、弾性変形片３１２を、直線状に形成したものや、コイル状に形成したものと比較して、コンパクトに形成し、鎧部１３の収容部１３１への収容を容易にしつつ、弾性を確保することができる。
【００３７】
（４）実施の形態１の眼鏡フレームＡは、弾性変形片３１２は、後方に向けて突出したボス部３１２ｃを備え、ボス部３１２ｃを、収容部１３１に形成されたボス部嵌合溝１３３に嵌め合せた状態で固定されている。
したがって、弾性変形片３１２を確実に強固に固定することができる。
【００３８】
（５）実施の形態１の眼鏡フレームＡは、フロント部１０の鎧部１３が樹脂製である。
したがって、金属製のものと比較して収容部１３１の加工を容易に行うことができる。
【００３９】
（６）実施の形態１の眼鏡フレームＡは、蝶番３０およびテンプル２０が金属製である。
したがって、テンプル２０を回転が規制された状態から外側に広げる際に、テンプル２０への入力を蝶番３０の弾性変形片３１２に確実に伝達して、弾性変形片３１２を弾性変形させることができる。また、蝶番３０およびテンプル２０を金属製とし、上記（５）のようにフロント部１０を樹脂製としたものでも、上記（２）のようにカバー部３１３が収容部１３１に進入して鎧部１３等と干渉しないため、樹脂製の鎧部１３が傷付いたり破損したりすることがない。
【００４０】
以上、図面を参照して、実施の形態を詳述してきたが、具体的な構成は、この実施の形態に限らず、本発明の要旨を逸脱しない程度の設計的変更は、本発明に含まれる。
【００４１】
例えば、実施の形態では、弾性変形部として湾曲部３１２ｂを有したものを示したが、これに限定されることはなく、例えば、直線状のものやコイル状のものを用いてもよい。したがって、収容部の形状や寸法、カバー部の形状や寸法も、弾性変形部の形状や寸法に応じて任意に設定することができる。
【００４２】
また、実施の形態では、カバー部３１３は、テンプル２０を外側に広げる弾性変形時に収容部１３１に進入するものを示したが、カバー部３１３が収容部１３１に進入しない構成としてもよい。この場合、例えば、弾性変形片３１２とカバー部３１３との間隔を広げる等して、弾性変形片３１２が弾性変形した際に、カバー部３１３が鎧部１３と干渉しないようにしてもよい。あるいは、鎧部１３およびカバー部３１３との材質等の選択により両者が干渉しても、外観に現れる部分に干渉による傷等が外観に現れないようにしてもよい。
【００４３】
また、鎧部１３を含むフロント部１０として樹脂製のものを示したが、これに限定されず、金属等他の素材を用いてもよい。同様に、蝶番３０、テンプル２０も、テンプル２０の剛性が蝶番３０の弾性変形部（弾性変形片３１２）よりも高ければ、その材質は、任意のものを用いることができる。さらに、フロント部１０は、フルリムタイプのものを示したが、鎧部を有していれば、ハーフリムタイプ等、フルリムタイプ以外のものを用いることができる。
【符号の説明】
【００４４】
１０   フロント部
１３   鎧部
２０   テンプル
３０   蝶番
３１   鎧部側蝶片
３２   テンプル側蝶片
１００ レンズ
１３１ 収容部
１３２ 支持壁
１３３ ボス部嵌合溝
１３４ 座金嵌合溝
３１２ 弾性変形片（弾性変形部）
３１２ｂ  湾曲部
３１２ｃ  ボス部
３１３ カバー部
Ａ     眼鏡フレーム
【図１Ａ】
2020148873.tif 000003
【図１Ｂ】
2020148873.tif 000004
【図２】
2020148873.tif 000005
【図３】
2020148873.tif 000006
【図４Ａ】
2020148873.tif 000007
【図４Ｂ】
2020148873.tif 000008